(57)【要約】【課題】本発明は、風圧を増大させ、かつ、モータ軸への負荷を低下させると共に騒音発生を低減したダブルファン式ヘアドライヤーの提供を目的とする。【解決手段】本発明に係るダブルファン式ヘアドライヤーＡは、一端に吸気口１０を有し、他端に吹出口１１を有する筒体ａ１と、前記筒体内に設置され、前記吸気口から前記吹出口へ向かう空気流を生じさせるための駆動源としてのモータ２０とを備えてなるヘアドライヤーであって、前記モータには、当該モータのモータ軸２１に第１動翼３０が固定して取り付けられ、前記第１動翼３０には、当該第１動翼と同回転方向に連動する第２動翼４０が直列に取り付けられてなることを特徴とするものである。【選択図】        図３
2014171740.tif 000002
【特許請求の範囲】
【請求項１】
一端に吸気口を有し、他端に吹出口を有する筒体と、
前記筒体内に設置され、前記吸気口から前記吹出口へ向かう空気流を生じさせるための駆動源としてのモータと
を備えてなるヘアドライヤーであって、
前記モータには、当該モータのモータ軸に第１動翼が固定して取り付けられ、
前記第１動翼には、当該第１動翼と同回転方向に連動する第２動翼が直列に取り付けられてなる
ことを特徴とするダブルファン式ヘアドライヤー。
【請求項２】
前記モータを収納するモータケースと、
第１整流翼を有する第１ファンケースと、その内部に収納された前記第１動翼とにより構成された第１ファンケースユニットと、
第２整流翼を有する第２ファンケースと、その内部に収納された前記第２動翼とにより構成された第２ファンケースユニットと
を備え、
前記第１ファンケースユニットは、前記モータケース及び前記筒体に取り付けられ、
前記第２ファンケースユニットは、前記第１ファンケースユニット及び前記筒体に取り付けられてなる
ことを特徴とする請求項１に記載のダブルファン式ヘアドライヤー。
【請求項３】
前記筒体はその一部に透明部を設け、前記第１ファンケース及び前記第２ファンケースを透明体とすることにより、少なくとも前記第１動翼及び前記第２動翼を透視可能とした
ことを特徴とする請求項１又は２に記載のダブルファン式ヘアドライヤー。
【発明の詳細な説明】
【技術分野】
【０００１】
本発明は、ヘアドライヤーに関し、特に、風圧を増大させるために２個の動翼を配置し、これらの動翼が同方向に回転する機能を有するダブルファン式ヘアドライヤーに関する。
【背景技術】
【０００２】
従来より、風量を増大させるために、１個のモータで回転する１個の動翼において、その動翼の羽根を大きくしたり、また、羽根の数を多くしたものが知られている。
【０００３】
また、下記特許文献１には、１個のモータで回転する２個の動翼を設け、当該２個の動翼の回転方向が互いに逆回転になるように配置することにより、風量を増量させると共にその流れを軸心に対して平行となし、旋回成分による損失を少なくしたたものが知られている。
【０００４】
さらに、下記特許文献２には、１個のモータで同方向に回転する２個の動翼を設け、この２個の動翼間に、前段側と後段側とで取付角が異なる案内翼を固定的に設け、後段の取付角が動翼の取付角の約２倍とすることにより、風量を増量させると共にその流れを軸心に対して平行となし、風の流れが軸心に対し殆ど傾かずに損失を少なくしたものが知られている。
【先行技術文献】
【特許文献】
【０００５】
【特許文献１】特開平２−２９９６０２号公報
【特許文献２】特開平２−２１８３０８号公報
【発明の概要】
【発明が解決しようとする課題】
【０００６】
しかしながら、上記の従来の技術では、ヘアドライヤーの風量は増大するもののケーシング内での圧力損失が大きく、風圧を十分に増大させることができなかった。また、モータ軸に２個の動翼をモータ後方に単に直列に設けた場合は、２個の動翼の振動や揺れなどによりモータ軸への負荷が掛かり、騒音の原因にもなる。
【０００７】
そこで、本発明者は、上記の問題点に鑑み、風圧を増大させ、かつ、モータ軸への負荷を低下させると共に騒音発生を低減したダブルファン式ヘアドライヤー（以下、単に「ヘアドライヤー」という。）を開発した。
【課題を解決するための手段】
【０００８】
本発明の請求項１に係るヘアドライヤーは、一端に吸気口を有し、他端に吹出口を有する筒体と、前記筒体内に設置され、前記吸気口から前記吹出口へ向かう空気流を生じさせるための駆動源としてのモータとを備えてなるヘアドライヤーであって、前記モータには、当該モータのモータ軸に第１動翼が固定して取り付けられ、前記第１動翼には、当該第１動翼と同回転方向に連動する第２動翼が直列に取り付けられてなることを特徴とするものである。
【０００９】
なお、上記の構成において、例えば前記第１動翼の後方にクラッチ部を設け、前記第２動翼の前方にクラッチ受部を設けることにより、前記第１動翼と前記第２動翼とをクラッチ機構により連動させる構成としてもよい。
【００１０】
また、本発明の請求項２に係るヘアドライヤーは、前記請求項１に記載のヘアドライヤーにおいて、前記モータを収納するモータケースと、第１整流翼を有する第１ファンケースと、その内部に収納された前記第１動翼とにより構成された第１ファンケースユニットと、第２整流翼を有する第２ファンケースと、その内部に収納された前記第２動翼とにより構成された第２ファンケースユニットとを備え、前記第１ファンケースユニットは、前記モータケース及び前記筒体に取り付けられ、前記第２ファンケースユニットは、前記第１ファンケースユニット及び前記筒体に取り付けられてなることを特徴とするものである。
【００１１】
なお、上記の構成において、前記第１ファンケースユニットと第２ファンケースユニットとの取り付けをヘリコイドにより結合させる構成としてもよい。
【００１２】
また、上記の構成において、前記第２ファンケースユニットにおいて、前記第２動翼は前記第２ファンケースの軸受け部にベアリング機構を介して軸支されている構成としてもよい。
【００１３】
さらに、本発明の請求項３に係るヘアドライヤーは、前記請求項１又は請求項２に記載のヘアドライヤーにおいて、前記筒体はその一部に透明部を設け、前記第１ファンケース及び前記第２ファンケースを透明体とすることにより、少なくとも前記第１動翼及び前記第２動翼を透視可能としたことを特徴とするものである。
【発明の効果】
【００１４】
本発明に係るヘアドライヤーは、上記のように構成したことにより、第２動翼が直接モータ軸に固定されないために、モータ軸への負担が軽減され、それによりモータ寿命の延命、ひいては製品寿命の延命が図られる。また、騒音を低下させる効果がある。さらに、第１動翼と第２動翼とのダブルファン方式であるため、風量を増大させることができる。しかも、前記第１動翼と前記第２動翼とをクラッチ機構で連動させる構成とすれば、組立が容易となる利点がある。
【００１５】
また、各ファンケースは、そのそれぞれに整流翼を有するものであり、これらのファンケースにそれぞれの動翼を収納してファンケースユニットが構成されているため、風向の直進性が向上して風圧が増大する効果がある。
【００１６】
さらに、筒体に筒体内部を透視可能とする透明部を設け、第１ファンケース及び第２ファンケースを透明体としたことにより、ダブルファンの構造及びその回転状態が外部から視覚的に認識できるので、その性能の良さを確認することが容易となる利点がある。
【図面の簡単な説明】
【００１７】
【図１】本発明の実施例に係るヘアドライヤーの側面図である。
【図２】本発明の実施例に係るヘアドライヤーの平面図である。
【図３】本発明の実施例に係るヘアドライヤーの側面側から見た一部省略中央断面図である。
【図４】本発明の実施例に係るヘアドライヤーの第１の動翼と第２の動翼とを連結した状態を示す斜視図である。
【図５】本発明の実施例に係るヘアドライヤーの第１の動翼と第２の動翼とを分解した状態を示す斜視図である。
【図６】本発明の実施例に係るヘアドライヤーの第１の動翼と第２の動翼とを連結した状態を示す断面図である。
【図７】本発明の実施例に係るヘアドライヤーの第１のファンケースと第２のファンケースとを連結した状態を示す斜視図である（図の理解のために不透明体として描いた）。
【図８】本発明の実施例に係るヘアドライヤーの第１のファンケースと第２のファンケースとを分解した状態を示す斜視図である（図の理解のために不透明体として描いた）。
【図９】本発明の実施例に係るヘアドライヤーの第１のファンケースと第２のファンケースとを結合した状態を示す断面図である。
【図１０】本発明の実施例に係るヘアドライヤーの第１のファンケースユニットと第２のファンケースユニットとを結合した状態を示す一部省略斜視図である。
【図１１】本発明の実施例に係るヘアドライヤーの第１のファンケースユニットと第２のファンケースユニットとを結合した状態を示す断面図である。
【図１２】本発明の実施例に係るヘアドライヤーの第１のファンケースユニットと第２のファンケースユニットとを結合した状態における吸気口側から見た図である。
【図１３】本発明の実施例に係るヘアドライヤーの第１のファンケースユニットと第２のファンケースユニットとを結合した状態における吹出口側から見た図である。
【図１４】本発明の実施例に係るヘアドライヤーにおいて、空気の流れを示す概略説明図である。
【発明を実施するための形態】
【００１８】
次に本発明の好適な実施例を添付の図面に基づいて詳細に説明する。なお、本実施例は、ドライヤー部と把持部とが屈曲してコンパクトに変形できるものであるが、これに限られるものではない。
【実施例１】
【００１９】
図１及び図２において、Ａは本実施例のヘアドライヤーを示し、ドライヤー部ａと把持部ｂとにより構成される。
【００２０】
ドライヤー部ａは、その外殻を構成する筒体ａ１と、後述する第１動翼３０及び第２動翼４０からなるいわゆるダブルファン及びこれらの動翼を駆動するモータ２０、ヒータ等の内部構造とを備える。前記筒体ａ１は、図１において右側上半領域に透明樹脂よりなる透明部ａ２が設けられており、図１及び図２に示すように、透明部ａ２の箇所から内部の構造が透視できるようになっている。また、後述する第１ファンケース６０及び第２ファンケース８０が透明樹脂よりなる透明体としている。これにより、第１動翼３０及び第２動翼４０からなるダブルファンの構造及びその回転状態が外部から視覚的に認識できるので、その性能の良さを確認することが容易となる。
【００２１】
把持部ｂは、スライドスイッチｂ１とプッシュボタンスイッチｂ２とを備えている。スライドスイッチｂ１は、第１動翼３０を駆動するモータ２０及びヒータへの電力供給のオンオフ及び第１動翼３０を駆動するモータ２０への電力量の切替を行うことができるようになっている。プッシュボタンスイッチｂ２は、ヒータへの電力供給のオンオフの切替を行うことができるようになっている。また、把持部ｂにはその下端のフレキシブルチューブｂ３を介して電源コード（図示を省略する）が取り付けられており、前記フレキシブルチューブｂ３は吊り下げ用リングｂ４を備えている。
【００２２】
図３は、前記ドライヤー部ａと把持部ｂの内部構造を示す断面図である。なお、把持部ｂの内部構造は公知のものであるので、詳細な説明は省略する。ドライヤー部ａの筒体ａ１において、１０は吸気口であり、１１は吹出口である。吸気口１０には塵などが混入しないようにメッシュや格子などからなるフィルターが適宜配されている。筒体ａ１の内部には、モータ２０、第１動翼３０及び第２動翼４０が含まれている。第１動翼３０はモータ２０のモータ軸２１に固定されて取り付けられている。第２動翼４０は第１動翼３０の後方（図に向かって右方）に直列に取り付けられている。なお、図３のｃの領域にヒータが配置されるが、ヒータの図示は省略した。
【００２３】
第２動翼４０は、モータ２０のモータ軸２１には直接取り付けられておらず、図４〜図６に示すように、クラッチ機構５０を介して第１動翼３０に取り付けられている。すなわち、第１動翼３０の後方にクラッチ部５１を固定して設け、第２動翼４０の前方にクラッチ受部５２を設けることにより、第１動翼３０に対して第２動翼４０が着脱可能な構造になっている。前記クラッチ部５１は３箇所等間隔のクラッチ溝５１ａを有し、前記クラッチ受部５２は３箇所等間隔のクラッチ凸部５２ａを有していて、クラッチ溝部５１ａとクラッチ凸部５２ａとが嵌合する構成となっている。前記クラッチ受部５２は、第２動翼４０の軸孔４１に嵌合する軸棒５３に、ベアリング３３及び中継筒５４を介して取り付けられている。そして、第１動翼３０のクラッチ部５１と第２動翼４０のクラッチ受部５２とを嵌合させることにより、第２動翼４０は第１動翼３０に取り付けられることになる。したがって、第１動翼３０に取り付けられた第２動翼４０は第１動翼３０と同方向に回転することになる。図６に示す３１は、モータ軸２１と嵌合する嵌合孔であり、第１動翼３０に形成された軸筒部３２に嵌合された、図５に示す嵌合筒３２ａにより形成される。この第１動翼３０及び第２動翼４０が回転することにより、吸気口１０から吹出口１１へ空気が流れることになる。また、ヒータに電気が流れて加熱されると、加熱空気が吹出口１１から吹き出ることになる。
【００２４】
上記の構成により、本実施例に係るヘアドライヤーＡは、第２動翼４０がモータ軸２１に直接固定されないために、モータ軸２１を短くすることができて振動等の発生が低減され、騒音を低下させる効果がある。また、モータ２０への負担が軽減され、それによりモータ２０の寿命の延命効果があり、製品の寿命の延命効果がある。さらに、第１動翼３０と第２動翼４０とのダブルファン方式であるため、風量を増大させることができる。しかも、第１動翼３０と第２動翼４０とをクラッチ機構５０で連動させる構成としているので、組立が容易となる利点がある。なお、第１動翼と第２動翼とを一体成形により製作してもよく、接着剤等で連結してもよい。
【００２５】
モータ２０は、図３に示すように、モータケース２２に収納され、第１動翼３０は第１ファンケース６０に収納されて第１ファンケースユニット７０を構成し、第２動翼４０は第２ファンケース８０に収納されて第２ファンケースユニット９０を構成する。図７〜図９に第１ファンケース６０及び第２ファンケース８０を示す。
【００２６】
第１ファンケース６０は、円筒状をなし、その前側中央部にモータケース２２が収納固定される凹陥部６１が形成され、凹陥部６１の周りに放射状に伸びる第１整流翼６２が複数配されている。この第１整流翼６２は、その幅方向の断面が後から前に向かって、下方に傾斜する傾斜面部６２ａと水平面部６２ｂとで構成される。また、第１ファンケース６０の後側周縁部上下に筒体ａ１にネジ止めするためのネジ挿通孔６３が設けられている。６４はモータ軸２１と第１動翼３０の軸筒部３２とが挿入される中継孔であり、この中継孔６４内においてモータ軸２１と第１動翼の嵌合孔３１とが結合される。さらに第１ファンケース６０の後側周縁部３箇所にフックを有する係合部６５が設けられており、次記する第２ファンケース８０とヘリコイド結合できるようになっている。
【００２７】
第２ファンケース８０は、円筒状をなし、その後部側の上部が若干張り出した形態をなしている。第２ファンケース８０の前側中央部には、第２動翼４０のベアリング３３が嵌合する軸受け部８１が形成されており、第２ファンケース８０に対して第２動翼４０が固定され、かつ、スムーズに回転できるようになっている。また、軸受け部８１の周りに放射状に伸びる第２整流翼８２が複数配されている。この第２整流翼８２は、その幅方向の断面が後から前に向かって、下方に傾斜する傾斜面部８２ａと水平面部８２ｂとで構成される。さらに第２ファンケース８０の前側周縁部３箇所に、第１ファンケース６０におけるフックを有する係合部６５に対して係合する係合受部８５が設けられており、図８に示す分離状態の第１ファンケース６０と第２ファンケース８０とが、図７に示すように、ヘリコイド結合できるようになっている。
【００２８】
図１０及び図１１は、第１ファンケース６０に第１動翼３０をモータ２０のモータ軸２１との結合により回転可能に軸支して構成した第１ファンケースユニット７０（モータ２０及びモータ軸２１は不図示で、図３を援用する。）と、第２ファンケース８０に第２動翼４０をベアリング機構を介して回転可能に軸支して構成した第２ファンケースユニット９０とを連結した状態を示す。第１動翼３０と第２動翼４０とはクラッチ機構により連動するように連結すると共に、第１ファンケース６０と第２ファンケース８０とはヘリコイド結合により連結する。図１２は、吸気口１０側から見た図であり、図１３は吹出口１１側から見た図である。
【００２９】
以上の構成により、筒体ａ１内に第１ファンケースユニット７０と第２ファンケースユニット９０とが収納固定される。
【００３０】
次に、図１４に基づき、空気の流れについて説明する。
【００３１】
モータ２０が駆動して第１動翼３０及び第２動翼４０が回転すると、空気流Ｐ１が、ヘアードライヤ外部から吸気口１０を通じて、第２ファンケースユニット９０内に、図において右方から侵入する。侵入した空気流Ｐ１は、第２動翼４０により左下方向に旋回する空気流Ｐ２に変化する。この左下方向への空気流Ｐ２は、第２整流翼８２により直進方向への空気流Ｐ３に変化し、第１ファンケースユニット７０内に侵入する。第２整流翼８２は、空気流Ｐ２を傾斜面部８２ａ及びこれに連続する水平面部８２ｂによりスムーズに直進方向への空気流Ｐ３に変化させる機能を果たす。
【００３２】
そして、第１ファンケースユニット７０内に侵入してきた直進方向の空気流Ｐ３は、第１動翼３０により左下方向に旋回する空気流Ｐ４に変化する。この左下方向への空気流Ｐ４は、第１整流翼６２により直進方向への空気流Ｐ５に変化し、左方の吹出口１１側に流れる。第１整流翼６２は、第２整流翼８２と同様に、空気流Ｐ４を傾斜面部６２ａ及びこれに連続する水平面部６２ｂによりスムーズに直進方向への空気流Ｐ５に変化させる機能を果たす。
【００３３】
前記の空気流Ｐ１〜Ｐ５は、第１動翼３０及び第２動翼４０の回転により生ずる。第１整流翼６２及び第２整流翼８２は、旋回する空気流Ｐ２、Ｐ４を直進する空気流Ｐ３、Ｐ５に変化させる。もし、旋回する空気流Ｐ２、Ｐ４は、これを変化させないとすれば、筒体ａ１内を放散してしまい、その結果、空気流同士の衝突や筒体ａ１内の壁面への衝突が生じるため、吹出口から吹き出される風量は変わらずとも風圧が減衰する。第１整流翼６２及び第２整流翼８２は、旋回する空気流Ｐ２、Ｐ４を直進する空気流Ｐ３、Ｐ５に変化させることにより、風向が吹出口１１方向へ矯正されるので、吸気口１０が侵入する空気流Ｐ１と風量が変わらず、かつ、風圧もほとんど減衰せずに吹出口１１から吹き出される。
【００３４】
以上の結果、本実施例に係るヘアドライヤーＡは、吹き出される空気流Ｐ５の風圧が、従来品よりも大きく、勢いのある空気流となるので、濡れた毛髪に対して速乾性の効果があり、かつ、毛髪の根元まで空気流が浸透するので、毛髪の根元及び頭皮に対しても速乾性の効果がある。
【００３５】
また、従来品である出願人製品（品番ＫＨＤ−１３８６）と上記実施例の構成を備えた実施品とを比較試験を行った。なお、従来品は動翼が１つであり、整流翼を有していない。その結果は、下記の表１に示す。
【００３６】
【表１】
2014171740.tif 000003
【００３７】
上記の結果から、実施品は、回転数が従来品より少ないものの風量が増大しており、温風温度も上昇している。このように回転数が少なく風量が増大したことは、ダブルファン方式であることによる。また、回転数が少なく温風温度が上昇したことは、空気流の直進性が向上し、加熱された空気流がすぐに吹出口から吹き出された結果による。この空気流の直進性が向上したことは、吹出口から吹き出された空気流の風圧が減衰していないことを証明する。
【００３８】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３９】
Ａ………ヘアドライヤー
ａ………ドライヤー部
ａ１……筒体
ａ２……透明部
ｂ………把持部
ｂ１……スライドスイッチ
ｂ２……プッシュボタンスイッチ
ｂ３……フレキシブルチューブ
ｂ４……吊り下げ用リング
ｃ………ヒータが配される領域
１０……吸気口
１１……吹出口
２０……モータ
２１……モータ軸
２２……モータケース
３０……第１動翼
３１……嵌合孔
３２……軸筒部
３２ａ…嵌合筒
３３……ベアリング
４０……第２動翼
４１……軸孔
５０……クラッチ機構
５１……クラッチ部
５１ａ…クラッチ溝
５２……クラッチ受部
５２ａ…クラッチ凸部
５３……軸棒
６０……第１ファンケース
６１……凹陥部
６２……第１整流翼
６２ａ…第１整流翼の傾斜面部
６２ｂ…第１整流翼の水平面部
６３……ネジ挿通孔
６４……中継孔
６５……係合部
７０……第１ファンケースユニット
８０……第２ファンケース
８１……軸受け部
８２……第２整流翼
８２ａ…第２整流翼の傾斜面部
８２ｂ…第２整流翼の水平面部
８５……係合受部
９０……第２ファンケースユニット
【図１】
2014171740.tif 000004
【図２】
2014171740.tif 000005
【図３】
2014171740.tif 000006
【図４】
2014171740.tif 000007
【図５】
2014171740.tif 000008
【図６】
2014171740.tif 000009
【図７】
2014171740.tif 000010
【図８】
2014171740.tif 000011
【図９】
2014171740.tif 000012
【図１０】
2014171740.tif 000013
【図１１】
2014171740.tif 000014
【図１２】
2014171740.tif 000015
【図１３】
2014171740.tif 000016
【図１４】
2014171740.tif 000017